(57)【要約】【課題】  草巻付き防止用の線状部材の端部を簡単かつ容易に取り付けることができるようにする。【解決手段】  軸心回りに回転自在に支持された爪軸２の外周面に、爪軸方向及び周方向に離間して耕耘爪３を装着する多数の爪ブラケット４を固定し、爪軸方向両端側に位置する爪ブラケット４にそれぞれ支持部材６を設け、両支持部材６に草巻付き防止用の線状部材５の両端を取り付けたロータリ耕耘機の草巻付き防止機構である。前記線状部材５は端部に径大の先端拡大部７ｂを形成した拡径端部材７を有し、前記支持部材６に拡径端部材７と係脱自在に係合する係合孔８を形成しており、前記係合孔８は、拡径端部材７の先端拡大部７ｂが挿入可能な拡径孔８ａと、この拡径孔８ａから爪軸２に近づく方向に連通していて先端拡大部７ｂの抜け止めをしながら線状部材５を通す抜け止め溝８ｂとを有する。【選択図】図１
2014187936.tif 000002
【特許請求の範囲】
【請求項１】
軸心回りに回転自在に支持された爪軸（２）の外周面に、爪軸方向及び周方向に離間して耕耘爪（３）を装着する多数の爪ブラケット（４）を固定し、爪軸方向両端側に位置する爪ブラケット（４）にそれぞれ支持部材（６）を設け、両支持部材（６）に草巻付き防止用の線状部材（５）の両端を取り付けたロータリ耕耘機の草巻付き防止機構であって、
前記線状部材（５）は端部に径大の先端拡大部（７ｂ）を形成した拡径端部材（７）を有し、前記支持部材（６）に拡径端部材（７）と係脱自在に係合する係合孔（８）を形成しており、
前記係合孔（８）は、拡径端部材（７）の先端拡大部（７ｂ）が挿入可能な拡径孔（８ａ）と、この拡径孔（８ａ）から爪軸（２）に近づく方向に連通していて先端拡大部（７ｂ）の抜け止めをしながら線状部材（５）を通す抜け止め溝（８ｂ）とを有していることを特徴とするロータリ耕耘機の草巻付き防止機構。
【請求項２】
前記線状部材（５）の両端に拡径端部材（７）を設け、爪軸方向両端の支持部材（６）に係合孔（８）を形成しており、前記線状部材（５）に長さ調整手段（９）を設けていることを特徴とする請求項１に記載のロータリ耕耘機の草巻付き防止機構。
【請求項３】
前記支持部材（６）は、爪ブラケット（４）の爪軸方向面に固着されていて、爪軸（２）の径外方向に面していて係合孔（８）の拡径孔（８ａ）を形成した外周面部（６ａ）と、爪軸方向に面していて抜け止め溝（８ｂ）を形成した側面部（６ｂ）とを有していることを特徴とする請求項１又は２に記載のロータリ耕耘機の草巻付き防止機構。
【請求項４】
前記支持部材（６）は、爪軸（２）の周方向視略コ字状部材で形成されていて、このコ字状部材の中央辺部に外周面部（６ａ）を形成し、コ字状部材の一辺部を爪ブラケット（４）の爪軸方向の面に固着し、コ字状部材の他辺部に抜け止め溝（８ｂ）を形成した側面部（６ｂ）を形成していることを特徴とする請求項３に記載のロータリ耕耘機の草巻付き防止機構。
【発明の詳細な説明】
【技術分野】
【０００１】
本発明は、ロータリ耕耘機の草巻付き防止機構に関する。
【背景技術】
【０００２】
例えば、サイドドライブ式のロータリ耕耘装置では、軸心回りに回転自在に支持された爪軸の外周面に、先端に嵌合凹部を有する多数の爪ブラケットが爪軸の径外方向に突設され、その嵌合凹部に嵌合された耕耘爪の基端部を爪ブラケットにボルト固定することによって、耕耘爪が爪軸に径外方に突設されている。
前記爪軸には、草等の長稈が巻き付くのを防止するために、爪軸の爪軸方向両端の爪ブラケット間に長尺の線状部材を架設した草巻付き防止機構を設けている。
【０００３】
この草巻付き防止機構の先行技術として、特許文献１に開示されたものがある。この先行技術は、長尺の鋼杆の両端に雄ネジを形成しておき、爪ブラケットに設けた支持部材に支持孔又は支持孔と支持孔から支持部材外側面に達する挿入溝とを有する係合溝を形成し、前記雄ネジを支持孔に孔心方向から又は係合溝に爪軸径外方向から挿入し、雄ネジに螺合する２個のナットを締結することにより、鋼杆の両端を支持部材に架設するように構成されている。
【先行技術文献】
【特許文献】
【０００４】
【特許文献１】特許第４１３８２７３号公報
【発明の概要】
【発明が解決しようとする課題】
【０００５】
前記先行技術は、雄ネジに螺合したナットを回動することにより、支持部材に対する鋼杆の端部の位置調整及び鋼杆の引っ張りができ、有用な技術であるが、鋼杆の両端が同じナット締結構造であるため、締結作業が非常に面倒になっている。
本発明は、このような従来技術の問題点を解決できるようにしたロータリ耕耘機の草巻付き防止機構を提供することを目的とする。
【０００６】
本発明は、草巻付き防止用の線状部材の端部を簡単かつ容易に架設できるようにしたロータリ耕耘機の草巻付き防止機構を提供することを目的とする。
【課題を解決するための手段】
【０００７】
本発明における課題解決のための具体的手段は、次の通りである。
第１に、軸心回りに回転自在に支持された爪軸２の外周面に、爪軸方向及び周方向に離間して耕耘爪３を装着する多数の爪ブラケット４を固定し、爪軸方向両端側に位置する爪ブラケット４にそれぞれ支持部材６を設け、両支持部材６に草巻付き防止用の線状部材５の両端を取り付けたロータリ耕耘機の草巻付き防止機構であって、
前記線状部材５は端部に径大の先端拡大部７ｂを形成した拡径端部材７を有し、前記支持部材６に拡径端部材７と係脱自在に係合する係合孔８を形成しており、
前記係合孔８は、拡径端部材７の先端拡大部７ｂが挿入可能な拡径孔８ａと、この拡径孔８ａから爪軸２に近づく方向に連通していて先端拡大部７ｂの抜け止めをしながら線状部材５を通す抜け止め溝８ｂとを有していることを特徴とする。
【０００８】
第２に、前記線状部材５の両端に拡径端部材７を設け、爪軸方向両端の支持部材６に係合孔８を形成しており、前記線状部材５に長さ調整手段９を設けていることを特徴とする。
第３に、前記支持部材６は、爪ブラケット４の爪軸方向面に固着されていて、爪軸２の径外方向に面していて係合孔８の拡径孔８ａを形成した外周面部６ａと、爪軸方向に面していて抜け止め溝８ｂを形成した側面部６ｂとを有していることを特徴とする。
【０００９】
第４に、前記支持部材６は、爪軸２の周方向視略コ字状部材で形成されていて、このコ字状部材の中央辺部に外周面部６ａを形成し、コ字状部材の一辺部を爪ブラケット４の爪軸方向の面に固着し、コ字状部材の他辺部に抜け止め溝８ｂを形成した側面部６ｂを形成していることを特徴とする。
【発明の効果】
【００１０】
本発明によれば、草巻付き防止用の線状部材の端部を簡単かつ容易に取り付けることができる。
即ち、請求項１に係る発明は、線状部材５の端部に径大の先端拡大部７ｂを形成し、支持部材６の係合孔８に拡径孔８ａと抜け止め溝８ｂとを形成しているので、拡径孔８ａに先端拡大部７ｂを挿入してから線状部材５を拡径孔８ａから抜け止め溝８ｂに通すことにより、線状部材５の端部を爪軸方向端部の支持部材６に簡単かつ容易に係合することができ、線状部材５の架設作業が簡便にできる。特に、線状部材５の端部を支持部材６に単に引っ掛けるだけで係合が完了するので、泥が付着する圃場内での係合作業にも有利である。
【００１１】
請求項２に係る発明は、線状部材５の両端に拡径端部材７を設け、爪軸方向両端の支持部材６に係合孔８を形成しており、前記線状部材５に長さ調整手段９を設けているので、線状部材５の両端爪軸方向両端の支持部材６に簡単かつ容易に係合することができ、線状部材５を引っ張って確実に架設することもできる。
請求項３に係る発明は、支持部材６は、爪軸２の径外方向に面していて係合孔８の拡径孔８ａを形成した外周面部６ａと、爪軸方向に面していて抜け止め溝８ｂを形成した側面部６ｂとを有しているので、支持部材６への拡径端部材７の係合が容易であり、拡径端部材７の抜け止めを確実にできる。
【００１２】
請求項４に係る発明は、支持部材６は略コ字状部材で形成されているので、堅牢でかつ安価に形成できる。
【図面の簡単な説明】
【００１３】
【図１】本発明の第１実施形態を示す斜視図である。
【図２】草巻付き防止機構の分解正面図である。
【図３】草巻付き防止機構の平面図である。
【図４】同要部の正面図である。
【図５】図４のＸ−Ｘ線断面図である。
【図６】ロータリ耕耘機の一部断面側面図である。
【図７】本発明の第２実施形態を示す斜視図である。
【図８】草巻付き防止機構の第１参考例を示す斜視図である。
【図９】草切り爪の参考例を示す斜視図である。
【図１０】草巻付き防止機構の第２参考例を示す斜視図である。
【発明を実施するための形態】
【００１４】
以下、本発明の実施の形態を図面に基づいて説明する。
図６において、符号１はトラクタの後部に３点リンク機構１２及び連結枠１３を介して昇降可能に装着されるロータリ耕耘機であり、連結枠１３は標準３点リンク仕様のロータリ耕耘機と特殊３点リンク仕様のロータリ耕耘機とを択一的に装着可能にしている。
前記連結枠１３は３点リンク機構１２の後端に連結され、上部に上下一対の上係合部１４ａ、１４ｂが設けられ、左右下部に下係合部１５が設けられ、上下中途部にジョイント軸保持具１６が設けられており、第１種（例えば、特殊３点リンク仕様）の作業機と第２種（例えば、標準３点リンク仕様）の作業機とが選択的に着脱自在に連結されるとともに、ＰＴＯ軸とＰＩＣ軸１７とを連結するジョイント軸１８がジョイント軸保持具１６によって保持されている。
【００１５】
前記ロータリ耕耘機１は、ＰＩＣ軸１７を前方突出したギヤケース２２に左右サポートアーム２３を連結し、左右サポートアーム２３の各外端に伝動ケース２４とサイドフレーム２５とを連結してロータリ機枠２６を構成し、ギヤケース２２の上部に設けたトップマスト２７に上係合部１４ａ又は１４ｂと係合する上係合ピン２８が設けられ、左右サポートアーム２３から前方突出したブラケット３０に下係合部１５と係合する下係合ピン２９が設けられている。
【００１６】
ロータリ機枠２６の伝動ケース２４とサイドフレーム２５の下部間に爪軸２を回転自在に支持し、この爪軸２に多数の爪ブラケット４を固着し、この爪ブラケット４に耕耘爪３
を取り付けて耕耘部Ｋが形成されている。
伝動ケース２４とサイドフレーム２５とには、耕耘部Ｋの上方を覆う主カバー３３が設けられ、この主カバー３３の後部に横軸３４を介してリヤカバー３５が枢支されている。このリヤカバー３５は上リヤカバー３５Ｕと下リヤカバー３５Ｄとからなり、左右方向の連結軸３６によって角度調整自在に連結されている。
【００１７】
前記爪軸２の外周面に固定された多数の爪ブラケット４は、爪軸方向及び周方向に離間して配置されており、この爪ブラケット４は大きさの異なる断面コ字形状の部材を嵌め合わせて形成されており、その内部に耕耘爪３の基部を挿入し、それらにボルトを貫通して耕耘爪３を取り付けている。
爪軸２の爪軸方向両端の爪ブラケット４には、爪軸方向対面側に支持部材６（６Ａ、６Ｂ）が設けられ、両端の支持部材６に線状部材５の両端が架設され、草巻付き防止機構１０を構成している。
【００１８】
草巻付き防止機構１０の第１実施形態を図１〜６に示している。
前記線状部材５は、棒状鋼材又はワイヤで形成された鋼杆部５Ａの両端部に金属製の拡径端部材７（７Ａ、７Ｂ）を有している。両拡径端部材７Ａ、７Ｂは、軸部７ａとこの軸部７ａの先端でそれより径大の球形状の先端拡大部７ｂとを有する。
支持部材６Ａ側の拡径端部材７Ａは、軸部７ａの端部がカシメにより又は溶着により鋼杆部５Ａに連結されている。
【００１９】
支持部材６Ｂ側の拡径端部材７Ｂは、軸部７ａに雄ネジ７ｃが形成され、鋼杆部５Ａの端部に雌ネジ部材５Ｂが設けられ、この雌ネジ部材５Ｂを雄ネジ７ｃに螺合してロックナット１１で廻り止めをして連結しており、これらによって長さ調整手段９が構成されている。
前記長さ調整手段９は、拡径端部材７Ｂを軸心廻りに回動することにより、雌ネジ部材５Ｂと雄ネジ７ｃとの螺合位置が調整され、線状部材５の架設の張りを調整することができる。
【００２０】
両端の支持部材６Ａ、６Ｂは互いに形状が対称形状であり、拡径端部材７Ａ、７Ｂと係脱自在に係合する係合孔８を有し、爪ブラケット４の爪軸方向の対向側の面に固着されている。
両端の支持部材６Ａ、６Ｂは、爪軸２の周方向視略コ字状部材で形成されていて、このコ字状部材の中央辺部に外周面部６ａを形成し、コ字状部材の一辺部（固定部６ｃ）を爪ブラケット４の爪軸方向の面に固着し、コ字状部材の他辺部に側面部６ｂを形成している。
【００２１】
コ字状支持部材６（６Ａ、６Ｂ）の外周面部６ａには、拡径端部材７（７Ａ、７Ｂ）の球形状の先端拡大部７ｂを挿入可能な拡径孔８ａが形成され、外周面部６ａから側面部６ｂにかけて抜け止め溝８ｂが形成され、これら拡径孔８ａ及び抜け止め溝８ｂによって係合孔８が形成されている。
抜け止め溝８ｂは先端拡大部７ｂと連通しており、その幅は軸部７ａを挿通するが、拡径孔８ａを挿通しない、即ち、抜け止めをする寸法となっている。
【００２２】
図２に２点鎖線で示すように、線状部材５の端部の拡径端部材７を支持部材６に径外側から近づけて、先端拡大部７ｂを拡径孔８ａに挿入していくと、軸部７ａも抜け止め溝８ｂに入っていき、先端拡大部７ｂが拡径孔８ａから径内側に抜けると、先端拡大部７ｂは抜け止め溝８ｂから爪軸方向には抜けられないことになる。
線状部材５の両端の拡径端部材７Ａ、７Ｂを両端支持部材６Ａ、６Ｂに係合した後、前記長さ調整手段９で両端拡径端部材７Ａ、７Ｂを引っ張ることにより、線状部材５は張られた状態で両端爪ブラケット４に架設されることになる。
【００２３】
図７は草巻付き防止機構の第２実施形態を示している。
この第２実施形態の草巻付き防止機構３９は、爪軸方向一端側の支持部材６Ａ及び拡径端部材７Ａが前記第１実施形態の草巻付き防止機構１０と同様に、支持部材６Ａには拡径孔８ａ及び抜け止め溝８ｂを有する係合孔８が形成され、拡径端部材７Ａには軸部７ａの先端に円筒体の先端拡大部７ｂが形成されている。
【００２４】
爪軸方向他端側の径方向視略Ｌ字状支持部材４０は、爪軸２の爪軸方向に面している側壁に外側面に開放された係合溝４０Ａを形成している。この係合溝４０Ａは、線状部材５にワイヤを使用する場合は、溝の代わりに貫通孔で形成してもよい。
前記線状部材５の他端には雄ネジ４１が設けられており、支持部材４０の係合溝４０Ａに挿通されて、係合溝４０Ａを挟んでナット４２を螺合して支持部材４０に締結される。線状部材５は雄ネジ４１を支持部材４０に架設した状態で２個のナット４２の位置を調整することにより、線状部材５の緊締及び他端の着脱ができる。これら雄ネジ４１及び２個のナット４２が長さ調整手段９を構成している。
【００２５】
支持部材４０は爪ブラケット４の回転方向前面に配置されていて、係合溝４０Ａは雄ネジ４１を爪軸２の回転方向先行側から挿入する溝形状になっている。係合溝４０Ａは雄ネジ４１を爪軸２の径外方向から挿入する溝形状にしてもよく、その場合は、支持部材４０を爪ブラケット４の回転方向後面に配置することもできる。
線状部材５が抜け止め溝８ｂ及び係合溝４０Ａの奥に係合するように、支持部材６Ａ及び支持部材４０は爪ブラケット４の回転方向前面に固着されている。
【００２６】
支持部材６Ａの拡径孔８ａは孔心が爪軸２の径方向に向いているので、線状部材５の拡径端部材７は、円筒体を先端拡大部７ｂの軸芯を拡径孔８ａの孔心に合わせて径外側から拡径孔８ａに挿入される。
拡径端部材７の先端拡大部７ｂを拡径孔８ａに貫通した状態で、軸部７ａを爪軸２の爪軸方向に沿わせていくと、軸部７ａは拡径孔８ａ内から抜け止め溝８ｂへ移行する。軸部７ａが抜け止め溝８ｂ内に入ると、支持部材６Ａ内に入っている円筒状先端拡大部７ｂは抜け止め溝８ｂから抜け出すことができなくなり、線状部材５の一端が支持部材６Ａに架設された状態になる。
【００２７】
図８は草巻付き防止機構の第１参考例を示しており、支持部材４５は平板に耕耘爪３の基部を挿通する挿通孔４５ａと、線状部材５の端部に設けたＵ金具４６を止めるピン４７を挿通する止め孔４５ｂとを形成しており、爪ブラケット４の先端（爪軸２から見て径外端）に溶着している。
この第１参考例の支持部材４５は爪ブラケット４に溶着されるので、爪軸２に草巻付き防止機構を組み付けた状態で耕耘爪３の取り換えができる。
【００２８】
符号４８は草切り爪を示しており、この草切り爪４８は爪ブラケット４の外側面に配置され、耕耘爪３を取り付けるボルトで固定される。
図９は草切り爪４８の参考例を示しており、前記第１参考例の支持部材４５と草切り爪４８とを一体成形したものであり、支持部材４５を爪ブラケット４に溶着することにより、草切り爪４８も爪ブラケット４に固着される。即ち、草切り爪４８は直交２面を有し、一面に耕耘爪３を挿通する挿通孔４８ａとピン４７を挿通する止め孔４８ｂとが形成され、他面に草を切る切刃４８ｃが形成されている。
【００２９】
図１０は草巻付き防止機構の第２参考例を示しており、支持部材４９は、線状部材５の端部に設けたＵ金具４６を止めるピン４７（図８に示す）を挿通する止め孔４９ｂを形成した平板を、爪ブラケット４の外面先端に溶着している。
この第２参考例の支持部材４９も爪ブラケット４に溶着されるので、爪軸２に草巻付き防止機構を組み付けた状態で耕耘爪３の取り換えができる。
【００３０】
なお、本発明は前記実施形態における各部材の形状及びそれぞれの前後・左右・上下の位置関係は、図１〜７に示すように構成することが最良である。しかし、前記実施形態に限定されるものではなく、部材、構成を種々変形したり、組み合わせを変更したりすることもできる。
例えば、支持部材６Ａ、６Ｂは爪ブラケット４に溶接により固着されているが、それぞれ取付片を突出して、耕耘爪３を固定するボルトで爪ブラケット４の外面に固定するように構成してもよい。
【００３１】
線状部材５は、棒状鋼材又はワイヤの端部に球体（先端拡大部７ｂ）を溶着して拡径端部材７としてもよい。
【符号の説明】
【００３２】
１      ロータリ耕耘機
２      爪軸
３      耕耘爪
４      爪ブラケット
５      線状部材
５Ａ    鋼杆部
５Ｂ    雌ネジ部材
６（６Ａ、６Ｂ）  支持部材
６ａ    外周面部
６ｂ    側面部
６ｃ    固定部
７（７Ａ、７Ｂ）  拡径端部材
７ａ    軸部
７ｂ    先端拡大部
７ｃ    雄ネジ
８      係合孔
８ａ    拡径孔
８ｂ    抜け止め溝
９      長さ調整手段
１０    防止機構
１１    ロックナット
Ｋ      耕耘部
【図１】
2014187936.tif 000003
【図２】
2014187936.tif 000004
【図３】
2014187936.tif 000005
【図４】
2014187936.tif 000006
【図５】
2014187936.tif 000007
【図６】
2014187936.tif 000008
【図７】
2014187936.tif 000009
【図８】
2014187936.tif 000010
【図９】
2014187936.tif 000011
【図１０】
2014187936.tif 000012